(57)【特許請求の範囲】
【請求項１】
ワイヤレスデバイス（１０）と通信する無線ネットワークノード（２０）において実行される、送信特性を構成する方法であって、
前記無線ネットワークノード（２０）と前記ワイヤレスデバイス（１０）との間の、送信特性のセットを用いて送信される第１のトランスポートブロックの成功裏の復号の復号マージンを示す情報を取得すること（Ｓ３）と、
取得される前記復号マージンを示す情報に基づいて、前記無線ネットワークノード（２０）と前記ワイヤレスデバイス（１０）との間のさらなる送信のために使用されるように前記送信特性を再構成すること（Ｓ４）と、
を含み、
前記復号マージンを示す情報は、前記第１のトランスポートブロックの受信及び／又は復号のために使用された、前記無線ネットワークノード（２０）又は前記ワイヤレスデバイス（１０）の処理キャパシティのシェアの標識を含み、
前記方法は、送信特性のセットを用いて、前記第１のトランスポートブロックを前記ワイヤレスデバイス（１０）へ送信すること（Ｓ１ｂ）、を更に含み、
前記取得すること（Ｓ３）は、前記ワイヤレスデバイス（１０）から、前記ワイヤレスデバイス（１０）における前記第１のトランスポートブロックの受信及び成功裏の復号を確認する確認応答、並びに当該復号の復号マージンを示す情報を定義する情報を受信すること（Ｓ３ｂ）、を含み、
前記再構成すること（Ｓ４）は、前記復号マージンを示す情報に基づいて、前記ワイヤレスデバイス（１０）への１つ以上のさらなるトランスポートブロックの送信のために使用されるように前記送信特性を再構成すること（Ｓ４ｂ）、を含み、
前記受信すること（Ｓ３ｂ）は、１つ又は複数のあり得るＡＣＫレベルを定義する情報を受信すること、を含み、各レベルが予め定義されるレンジの範囲内の復号マージンを示す情報に対応する、方法。
【請求項２】
前記再構成すること（Ｓ３）は、前記無線ネットワークノード（２０）と前記ワイヤレスデバイス（１０）との間の１つ以上のさらなるトランスポートブロックの送信のロバスト性を、前記第１のトランスポートブロックの前記送信のロバスト性に対して変更すること、を含む、請求項１の方法。
【請求項３】
再構成すること（Ｓ３）は、前記復号マージンを示す情報が予め定義されるレベルを下回る場合に、前記第１のトランスポートブロックの前記送信の送信信号のロバスト性よりも高いロバスト性に対応する送信特性を選択すること、を含む、請求項１〜２のいずれかに記載の方法。
【請求項４】
再構成すること（Ｓ３）は、前記復号マージンを示す情報が予め定義されるレベルを上回る場合に、前記第１のトランスポートブロックの前記送信の送信信号のロバスト性よりも低いロバスト性に対応する送信特性を選択すること、を含む、請求項１〜３のいずれかに記載の方法。
【請求項５】
前記無線ネットワークノード（２０）と前記ワイヤレスデバイス（１０）との間の、送信特性の前記セットを用いて送信される前回の及び現在のトランスポートブロックの前記復号マージンを示す情報を表現する蓄積された復号マージンを計算すること（Ｓ３５）、  を含み、
前記再構成すること（Ｓ４）は、前記蓄積された復号マージンに基づく、
請求項１〜４のいずれかの方法。
【請求項６】
前記送信特性は、変調符号化方式、無線アクセス技術、ＭＩＭＯ（Multiple  Input  Multiple  Output）送信モード、ビームフォーミング、プリコーディング行列、及び送信
電力、という特性のうちの１つ又は複数を含む、請求項１〜５のいずれかの方法。
【請求項７】
前記第１のトランスポートブロックは、前記ワイヤレスデバイスから前記無線ネットワークノードへ送信され、
前記方法は、前記第１のトランスポートブロックを前記ワイヤレスデバイス（１０）から受信すること（Ｓ１ａ）、を含み、
前記方法は、前記第１のトランスポートブロックを復号すること（Ｓ２ａ）、を含み、  前記再構成すること（Ｓ４）は、前記復号マージンを示す情報に基づいて、前記ワイヤレスデバイス（１０）からのさらなる送信のために使用されるように前記送信特性を再構成すること（Ｓ４ａ）、を含む、
請求項１〜６のいずれかに記載の方法。
【請求項８】
再構成された前記送信特性を定義する情報を前記ワイヤレスデバイス（１０）へ送信すること（Ｓ５ａ）、
をさらに含む、請求項７の方法。
【請求項９】
前記無線ネットワークノード（２０）への送信の際に前記ワイヤレスデバイス（１０）において使用されるように送信特性のセットを構成すること（Ｓ０ａ）、
をさらに含む、請求項７又は請求項８の方法。
【請求項１０】
再構成された前記送信特性を用いて、前記ワイヤレスデバイスから１つ以上のさらなるトランスポートブロックを受信すること（Ｓ６ａ）、
をさらに含む、請求項７〜９のいずれかの方法。
【請求項１１】
再構成された前記送信特性を用いて、前記ワイヤレスデバイス（１０）へ１つ以上のさらなるトランスポートブロックを送信するステップ（Ｓ５ｂ）、
を含む、請求項１〜１０のいずれかの方法。
【請求項１２】
前記ワイヤレスデバイス（１０）へ、復号マージンを示す情報のレポーティングを有効化するためのリクエストを送信するステップ（Ｓ０ｂ１）、
を含む、請求項１〜１１のいずれかの方法。
【請求項１３】
前記ワイヤレスデバイス（１０）から、復号マージンを示す情報のレポーティングを有効化するためのリクエストを受信するステップ（Ｓ０ｂ２）、
を含む、請求項１〜１２のいずれかの方法。
【請求項１４】
無線ネットワークノードのプログラマブルコントローラにおいて実行された場合に、前記無線ネットワークノードに、請求項１〜１３のいずれかに記載の方法を実行させるコンピュータプログラムコード、を含むコンピュータプログラム。
【請求項１５】
無線通信インタフェース（２１）及び処理回路（２２）を備える無線ネットワークノード（２０）であって、前記処理回路（２２）は、
前記無線ネットワークノード（２０）とワイヤレスデバイス（１０）との間で送信される第１のトランスポートブロックの成功裏の復号の復号マージンを示す情報を取得し、
取得される前記復号マージンを示す情報に基づいて、前記無線ネットワークノード（２０）と前記ワイヤレスデバイス（１０）との間のさらなる送信のために使用されるように送信特性を再構成する、
ように構成され、
前記復号マージンを示す情報は、前記第１のトランスポートブロックの受信及び／又は復号のために使用された、前記無線ネットワークノード（２０）又は前記ワイヤレスデバイス（１０）の処理キャパシティのシェアの標識を含み、
前記処理回路は、前記無線ネットワークノード（２０）から前記ワイヤレスデバイス（１０）へ送信される第１のトランスポートブロックの成功裏の復号の復号マージンを示す情報を取得する、ように構成され、
前記処理回路は、送信特性のセットを用いて、前記第１のトランスポートブロックをワイヤレスデバイス（１０）へ送信する、ように構成され、
前記処理回路は、前記ワイヤレスデバイス（１０）から、前記ワイヤレスデバイス（１０）における前記第１のトランスポートブロックの受信及び成功裏の復号を確認する確認応答、並びに当該復号の復号マージンを示す情報を定義する情報を取得する、ように構成され、
前記処理回路は、前記復号マージンを示す情報に基づいて、前記ワイヤレスデバイス（１０）への１つ以上のさらなるトランスポートブロックの送信のために使用されるように前記送信特性を再構成する、ように構成され、
前記処理回路は、１つ又は複数のあり得るＡＣＫレベルを定義する情報を受信する、ように構成され、各レベルが予め定義されるレンジの範囲内の復号マージンを示す情報に対応する、無線ネットワークノード（２０）。
【請求項１６】
前記無線ネットワークノードは、ｅＮｏｄｅＢである、請求項１５の無線ネットワークノード（２０）。
【請求項１７】
前記処理回路は、前記無線ネットワークノード（２０）と前記ワイヤレスデバイス（１０）との間の１つ以上のさらなるトランスポートブロックの送信のロバスト性を、前記第１のトランスポートブロックの前記送信のロバスト性に対して変更することにより、前記送信特性を再構成する、ようにさらに構成される、請求項１５〜１６のいずれかの無線ネットワークノード（２０）。
【請求項１８】
前記処理回路は、前記復号マージンを示す情報が予め定義されるレベルを下回る場合に、前記第１のトランスポートブロックの前記送信の送信信号のロバスト性よりも高いロバスト性に対応する送信特性を選択することにより、前記送信特性を再構成する、ようにさらに構成される、請求項１５〜１６のいずれかの無線ネットワークノード（２０）。
【請求項１９】
前記処理回路は、前記復号マージンを示す情報が予め定義されるレベルを上回る場合に、前記第１のトランスポートブロックの前記送信の送信信号のロバスト性よりも低いロバスト性に対応する送信特性を選択することにより、前記送信特性を再構成する、ようにさらに構成される、請求項１５〜１６のいずれかの無線ネットワークノード（２０）。
【請求項２０】
前記処理回路は、前記無線ネットワークノード（２０）と前記ワイヤレスデバイス（１０）との間の、送信特性のセットを用いて送信される前回の及び現在のトランスポートブロックの前記復号マージンを示す情報を表現する蓄積された復号マージンを計算（Ｓ３５）する、ようにさらに構成され、
前記再構成は、前記蓄積された復号マージンに基づく、
請求項１５〜１６のいずれかの無線ネットワークノード（２０）。
【請求項２１】
前記送信特性は、変調符号化方式、無線アクセス技術、ＭＩＭＯ（Multiple  Input  Multiple  Output）送信モード、ビームフォーミング、プリコーディング行列、及び送信
電力、という特性のうちの１つ又は複数を含む、請求項１５〜１６のいずれかの無線ネットワークノード（２０）。
【請求項２２】
前記処理回路は、前記ワイヤレスデバイス（１０）から前記無線ネットワークノード（２０）へ送信される第１のトランスポートブロックの成功裏の復号の復号マージンを示す情報を取得する、ように構成され、
前記処理回路は、
送信特性のセットを用いて送信される前記第１のトランスポートブロックをワイヤレスデバイス（１０）から受信し、
前記第１のトランスポートブロックを復号する、
ように構成され、
前記処理回路は、前記復号マージンを示す情報に基づいて、前記ワイヤレスデバイス（１０）からのさらなる送信のために使用されるように前記送信特性を再構成する、ように構成される、
請求項１５〜２１のいずれかの無線ネットワークノード（２０）。
【請求項２３】
前記処理回路は、
再構成された前記送信特性を定義する情報を前記ワイヤレスデバイス（１０）へ送信する、
ように構成される、請求項１５〜２２のいずれかの無線ネットワークノード（２０）。
【請求項２４】
前記処理回路は、
前記無線ネットワークノード（２０）への送信の際に前記ワイヤレスデバイス（１０）において使用されるように送信特性のセットを構成する、
ように構成される、請求項１５〜２３のいずれかの無線ネットワークノード（２０）。
【請求項２５】
前記処理回路は、
再構成された前記送信特性を用いて、前記ワイヤレスデバイスから１つ以上のさらなるトランスポートブロックを受信する、
ように構成される、請求項１５〜２４のいずれかの無線ネットワークノード（２０）。
【請求項２６】
前記処理回路は、
再構成された前記送信特性を用いて、前記ワイヤレスデバイス（１０）へ１つ以上のさらなるトランスポートブロックを送信する、
ように構成される、請求項１５〜２５のいずれかの無線ネットワークノード（２０）。
【請求項２７】
前記処理回路は、
前記ワイヤレスデバイス（１０）へ、復号マージンを示す情報のレポーティングを有効化するためのリクエストを送信する、
ように構成される、請求項１５〜２６のいずれかの無線ネットワークノード（２０）。
【請求項２８】
前記処理回路は、
前記ワイヤレスデバイス（１０）から、復号マージンを示す情報のレポーティングを有効化するためのリクエストを受信する、
ように構成される、請求項１５〜２７のいずれかの無線ネットワークノード（２０）。
【発明の詳細な説明】
【技術分野】
【０００１】
本開示は、無線ネットワークノードにおいて送信特性を構成する方法に関する。より具体的には、本開示は、１つ以上のトランスポートブロックの成功裏の復号に基づいて送信特性を構成することに関する。本開示は、アップリンクにおける及びダウンリンクにおける送信特性を構成する方法、並びに対応する無線ネットワークノード及びコンピュータプログラムにも関する。
【背景技術】
【０００２】
３ＧＰＰ（3rd  Generation  Partnership  Project）は、ＵＭＴＳ（Universal  Mobile  Telecommunication  System）及びＬＴＥ（Long  Term  Evolution）の標準化に責任を有する。ＬＴＥについての３ＧＰＰの作業は、Ｅ−ＵＴＲＡＮ（Evolved  Universal  Terrestrial  Access  Network）としても言及される。ＬＴＥは、ダウンリンク及びアップリンクの双方において高いデータレートに達することのできる高速なパケットベースの通信を実現するための技術であり、ＵＭＴＳに対する次世代のモバイル通信システムであると考えられている。高いデータレートをサポートする目的で、ＬＴＥは、２０ＭＨｚのシステム帯域幅、又は、キャリアアグリゲーションが採用される場合には最大１００ＭＨｚのシステム帯域幅を可能とする。また、ＬＴＥは、異なる複数の周波数帯域で動作することが可能であり、少なくとも周波数分割複信（ＦＤＤ）モード及び時分割複信（ＴＤＤ）モードで動作することができる。
【０００３】
モバイル通信システムにおいて、アップリンク及びダウンリンクの双方で送信用のリソースを割り当てるのは、概して基地局である。ＬＴＥでは、ユーザ機器（ＵＥ）として言及されるワイヤレスデバイスは、測定を遂行して、感知される無線伝播条件に関する標識を、チャネル品質インジケータ（Channel  Quality  Indicator）レポーティングと呼ばれるものの中で基地局へ提供する。そのレポーティングに基づき、基地局は、ＵＥとの通信のためにどの変調符号化方式（ＭＣＳ）を使用すべきかをおおよそ決定することができる。ＣＱＩとＭＣＳとの間のマッピングの１つの例が、３ＧＰＰ  ＴＳ３６．２１３  Ｖ１０．１２．０のセクション７．２．３から取得した以下の表１に示されている。チャネル品質が低い場合（低いＣＱＩインデックス）、情報ビットの成功裏の復号のためにより多くの前方エラー訂正符号化が必要とされ、チャネル品質が高い場合、即ちＣＱＩインデックスが高い場合において逆もまたしかりである。よって、高ＣＱＩでは、情報ビットのスループットを低ＣＱＩよりも高くすることができる。
【０００４】
【表１】
0006600003.tif 000002
【０００５】
良好なシステムスループットを得る目的で、ＬＴＥではｅＮＢとして言及される基地局は、リンク適応を遂行することにより、各ＵＥがレポートしたチャネル品質を、システムスループットと個々のユーザについてのスループットとの間の正しいバランスを提供するＭＣＳに適合させる。ＭＣＳは、ＬＴＥではＰＤＣＣＨ（Physical  Data  Control  Channel）上で提供されるダウンリンク制御情報（ＤＣＩ）においてＵＥへ指し示される。これは、同じＴＳからの表２に示されている。
【０００６】
ＣＱＩレポーティングに加えて、基地局は、典型的には、ＡＣＫ／ＮＡＣＫレポートに基づいて例えば１０％のＢＬＥＲ（ＮＡＣＫと、受信され又は予期されるＡＣＫ／ＮＡＣＫの総数との間の比率）を与える適切な値にＭＣＳ値をチューニングするというアウターループを有する。それは、どの目標ＢＬＥＲが使用されるか（例えば、１％、１０％、３０％）の柔軟性を提供することに加えて、レポートされるＣＱＩにおいて各ＵＥモデルが又は同じモデルの複数のＵＥさえも個別のバイアスを有し得るという問題をも解決する。よって、基地局は、所望のＢＬＥＲ目標を与えるようにチューニングするＵＥ固有のＣＱＩオフセットを維持する。
【０００７】
【表２】
0006600003.tif 000003
【０００８】
ＵＥ固有のＭＣＳを判定するための基地局側での既存の制御ループは、具体的なＢＬＥＲ比率を維持し及びＣＱＩレポーティングにおけるＵＥ固有のバイアスを識別することに大いに基づく。ＣＱＩバイアスが一旦識別されると、基地局は、ＵＥによりレポートされるＣＱＩに基づいて、より正確にＭＣＳを選択することができる。ＣＱＩバイアスの識別の期間中に、基地局は、ある時間インターバルにわたってＢＬＥＲ目標が充足されるまで、ＭＣＳを減少させ又は増加させるであろう。
【０００９】
産業用途に向けたマシンタイプ通信（ＭＴＣ）の広がりは、将来の通信システムにおける重要な特徴の１つとして見られている。接続性に関する要件は、非常に多様であり、運用されることになる産業上の用途のユースケースに大いに依存する。従って、様々なクリティカルＭＴＣ（即ち、超高信頼性（ultra-reliable）ＭＴＣ）の解決策が必要とされるであろう。エンドツーエンドのレイテンシに加えて、クリティカルＭＴＣの概念は、送信の信頼性、モビリティ、エネルギー効率、システムキャパシティ及び配備に関わる設計上のトレードオフを解決し、超高信頼性の通信を可能としながらリソース効率的かつエネルギー効率的な手法でいかにワイヤレスネットワークを設計するかについての解決策を提供すべきである。
【００１０】
例えば１０−９まで低い極端なＢＬＥＲに関する要件を充足し、同時に、レイテンシに関する極端な要件、即ち毎サブフレーム新たな情報を送受信できること、を充足するようなＵＥのスケジューリングのためには、可能な限りブロックエラーが回避されなければならない。
【００１１】
しかしながら、既存の実装では、時折ブロックエラーを取り込むことなくＭＣＳなどの送信特性をリソース効率的なレベルへ調整することは解決困難であり得る。結果として、基地局（又はネットワークノード）は、ＭＣＳ選択において非常に保守的となることを強いられる。保守的であるとは、求められるよりも積極的でないＭＣＳを使用することを示唆し、その結果、個々のＵＥについて必要とされるよりも多くのリソースが使用され、低下したシステムスループットに帰着する。
【発明の概要】
【発明が解決しようとする課題】
【００１２】
本開示の目的は、上記技術における上で識別した欠点及び不利のうちの１つ以上を、独力で又は何らかの組み合わせで軽減し、緩和し又は排除することを追求する方法を提供することである。
【課題を解決するための手段】
【００１３】
これは、ワイヤレスデバイスと通信する無線ネットワークノードにおいて実行される、送信特性（transmission  properties）を構成する方法により達成される。上記方法は、上記無線ネットワークノードと上記ワイヤレスデバイスとの間の、送信特性のセットを用いて送信される第１のトランスポートブロックの成功裏の復号の復号マージン（decoding  margin）を示す情報を取得することと、取得される上記復号マージンを示す情報に基づいて、上記無線ネットワークノードと上記ワイヤレスデバイスとの間のさらなる送信のために使用されるように上記送信特性を再構成することと、を含む。それにより、基地局は、ワイヤレスデバイスのために送信特性を選択する際にあまり保守的とならないことができ、それによって、他のワイヤレスデバイスのためにより多くのリソースを使用することが可能とされる。これは、トランスポートブロックを時折逸失するというリスク無く行われ得る。結果として、上記デバイスとの信頼性の高い通信を提供すると同時に、システムスループットを改善することができる。
【００１４】
いくつかの側面によれば、上記再構成することは、上記無線ネットワークノードと上記ワイヤレスデバイスとの間の１つ以上のさらなるトランスポートブロックの送信のロバスト性を、上記第１のトランスポートブロックの上記送信のロバスト性に対して変更すること、を含む。ロバスト性は、典型的には、リソース使用に対応する。よって、ロバスト性を変更することにより、リソースが利用可能となり得る。
【００１５】
いくつかの側面によれば、上記復号マージンを示す情報は、上記第１のトランスポートブロックの受信及び／又は復号のために使用された、上記無線ネットワークノード又は上記ワイヤレスデバイスの処理キャパシティのシェアの標識を含む。ワイヤレスデバイスにおけるリソース使用を指し示すことにより、送信特性を、ワイヤレスデバイス内の実際のリソースに適合するように調整し得る。
【００１６】
いくつかの側面によれば、再構成することは、上記復号マージンを示す情報が予め定義されるレベルを下回る場合に、上記第１のトランスポートブロックの上記送信の送信信号のロバスト性よりも高いロバスト性に対応する送信特性を選択すること、を含む。いくつかの側面によれば、再構成することは、上記復号マージンを示す情報が予め定義されるレベルを上回る場合に、上記第１のトランスポートブロックの上記送信の送信信号のロバスト性よりも低いロバスト性に対応する送信特性を選択すること、を含む。よって、ロバスト性又はリソース使用について、正しいレベルを見つけ出す目的で、増加させるか又は減少させるかのいずれかを行い得る。
【００１７】
いくつかの側面によれば、上記方法は、上記無線ネットワークノードと上記ワイヤレスデバイスとの間の、送信特性の上記セットを用いて送信される前回の及び現在のトランスポートブロックの上記復号マージンを示す情報を表現する蓄積された復号マージンを計算すること、をさらに含む。その場合、上記再構成することは、上記蓄積された復号マージンに基づく。
【００１８】
いくつかの側面によれば、上記送信特性は、変調符号化方式、無線アクセス技術、ＭＩＭＯ（Multiple  Input  Multiple  Output）送信モード、ビームフォーミング、プリコーディング行列、及び送信電力、という特性のうちの１つ又は複数を含む。
【００１９】
いくつかの側面によれば、上記トランスポートブロックは、上記ワイヤレスデバイスから上記無線ネットワークノードへ送信される。その場合、上記方法は、上記第１のトランスポートブロックを上記ワイヤレスデバイスから受信すること、を含み、上記第１のトランスポートブロックは、送信特性のセットを用いて送信される。そして、上記方法は、上記第１のトランスポートブロックを復号すること、をさらに含む。この観点によれば、上記再構成することは、上記復号マージンを示す情報に基づいて、上記ワイヤレスデバイスからのさらなる送信のために使用されるように上記送信特性を再構成すること、を含む。
【００２０】
いくつかの側面によれば、上記トランスポートブロックは、上記無線ネットワークノードから上記ワイヤレスデバイスへ送信される。その場合、上記方法は、送信特性のセットを用いて、上記第１のトランスポートブロックを上記ワイヤレスデバイスへ送信すること、を含む。上記取得することは、上記ワイヤレスデバイスから、上記ワイヤレスデバイスにおける上記第１のトランスポートブロックの受信及び成功裏の復号を確認する確認応答、並びに当該復号の復号マージンを示す情報を定義する情報を受信すること、を含み、上記再構成することは、上記復号マージンを示す情報に基づいて、上記ワイヤレスデバイスへの１つ以上のさらなるトランスポートブロックの送信のために使用されるように上記送信特性を再構成すること、を含む。
【００２１】
いくつかの側面によれば、本開示は、無線ネットワークノードのプログラマブルコントローラにおいて実行された場合に、上記無線ネットワークノードに、ここまで及びこれ以降で説明する方法を実行させるコンピュータプログラムコード、を含むコンピュータプログラムに関する。
【００２２】
いくつかの側面によれば、本開示は、無線通信インタフェース及び処理回路を備える無線ネットワークノードに関する。上記処理回路は、上記無線ネットワークノードとワイヤレスデバイスとの間で送信される第１のトランスポートブロックの成功裏の復号の復号マージンを示す情報を取得し、取得される上記復号マージンを示す情報に基づいて、上記無線ネットワークノードと上記ワイヤレスデバイスとの間のさらなる送信のために使用されるように送信特性を再構成する、ように構成される。
【００２３】
上記無線ネットワークノードは、ここまで及びこれ以降で説明する、ネットワークノードにおける方法の全ての側面を実行するようにさらに構成される。
【００２４】
いくつかの側面によれば、本開示は、無線ネットワークノードのプログラマブルコントローラにおいて実行された場合に、上記無線ネットワークノードに、ここまで及びこれ以降で説明する方法を実行させるコンピュータプログラムコード、を含むコンピュータプログラムにも関する。
【図面の簡単な説明】
【００２５】
上述した内容は、添付図面に示したような、例示的な実施形態についての以下のより具体的な説明から明白となるであろう。それら添付図面において、類似の参照記号は様々な観点を通じて同じ部分を指す。図面は必ずしも等尺ではなく、代わりに例示的な実施形態の描出に関して強調が施される。
【００２６】
【図１ａ】無線ネットワークノード及びワイヤレスデバイスを示している。
【図１ｂ】ＬＴＥの物理レイヤのダウンリンク及びアップリンクの処理のスケッチである。
【図２】無線ネットワークノードにおける方法ステップの実施形態を示すフローチャートである。
【図３】アップリンク送信に関する実施形態を示すフローチャートである。
【図４】ダウンリンク送信に関する実施形態を示すフローチャートである。
【図５】例示的な実施形態のいくつかに係る、無線ネットワークノードの例示的なノード構成である。
【図６】本開示の１つの例示的な実施形態における基地局側の例示的な処理ステップを示すフローチャートである。
【図７】１つの例示的な実施形態におけるワイヤレスデバイスにおける例示的な処理ステップを示すフローチャートである。
【発明を実施するための形態】
【００２７】
［略語］
ＡＣＫ        Acknowledged
ＡＲＱ        Automatic  repeat  request
ＢＬＥＲ      Block  error  rate
ＣＱＩ        Channel  quality  indicator
ＣＲＳ        Cell  specific  reference  signals
ＣＳＩ        Channel  state  information
ＤＣＩ        Downlink  control  information
ＤＬ          Downlink
ｅＩＣＩＣ    Enhanced  ICIC
ＦＦＴ        Fast  Fourier  transform
ＨＡＣＫ      Hard  ACK
ＨＡＲＱ      Hybrid  automatic  repeat  request
ＩＣＩＣ      Inter-cell  interference  coordination
ＭＣＳ        Modulation  and  coding  scheme
ＮＡＣＫ      Not  Acknowledged
ＯＦＤＭ      Orthogonal  Frequency  Division  Modulation
ＰＣＦＩＣＨ  Physical  control  format  indicator  channel
ＰＤＣＣＨ    Physical  downlink  control  channel
ＰＤＳＣＨ    Physical  downlink  shared  channel
ＰＨＩＣＨ    Physical  HARQ  indication  channel
ＰＵＣＣＨ    Physical  uplink  control  channel
ＰＵＳＣＨ    Physical  uplink  shared  channel
ＰＤＵ        Protocol  data  unit
ＱｏＳ        Quality  of  service
ＲＬＣ        Radio  link  control
ＳＡＣＫ      Soft  ACK
ＳＡＲ        Soft-to-Hard  ACK  rate
ＳＧ          Scheduling  grant
ＳＲ          Scheduling  request
ＳＲＳ        Sounding  reference  signals
ＴＴＩ        Transmission  time  interval
ＵＣＩ        Uplink  control  information
ＵＥ          User  equipment
ＵＬ          Uplink
【００２８】
これ以降、添付図面を参照しながら本開示の複数の側面がより充分に説明されるであろう。ここで開示される装置及び方法は、しかしながら、多くの異なる形式で実現されることができ、ここで呈示される側面に限定されるものとして解釈されるべきではない。図面内の類似の番号は一貫して類似のエレメントを指す。
【００２９】
ここで使用される専門用語は、本開示の具体的な側面を説明する目的のためのものに過ぎず、本開示を限定することを意図されない。ここで使用されるところによれば、単数形の“a”、“an”及び“the”は、別段文脈で明示されない限り、複数形をも含むものと意図される。
【００３０】
発明者らは、物理レイヤのキャパシティの観点で受信機がその限界のどの程度近くで動作しているのかをスケジューラが知得することが有益であり得ることを認識した。例えば、ｅＮＢがＵＥへ送信中である場合、ｅＮＢは、ＵＥ内でトランスポートブロックを復号するために必要とされる物理リソースがどの程度まで使用されるかを知ることで恩恵を受けるはずである。ｅＮＢは、そうした知識に基づいて、ブロックエラーを時折取り込むリスクを少ししか伴わないで、送信特性を最適化し得る。同様のやり方で、ワイヤレスデバイスからトランスポートブロックを受信中のｅＮＢは、復号マージンを示す情報を、将来のＵＥからのアップリンクのスケジューリングへの入力として使用し得る。
【００３１】
復号マージンを示す情報は、例えば、ブロックを成功裏に復号した際に残されているターボ復号器の反復回数、又は同様の種類のメトリックを反映してもよい。
【００３２】
ＵＥにおけるＬＴＥの物理レイヤの簡略化されたスケッチが図１ｂに提供されている。複数のサンプルが無線機から受信され、ＯＦＤＭ復調器においてＦＦＴの対象となる。その出力は、例えば変調シンボル及びリファレンス信号を搬送する複数のリソースエレメントを含む。リファレンス信号は、無線チャネルを推定するためにチャネル推定器により使用され、そのチャネル推定結果、送信モードに関する情報、及び割り当て帯域幅から、合成重み計算器により最適な合成重みが導出される。いくつかのリファレンス信号は、ＣＳＩ推定器によってチャネル状態情報（ＣＳＩ。ＣＱＩを含む）を計算するためにも使用され、ＣＳＩは、無線ネットワークノードへフィードバックされる。受信された変調シンボル及び合成重みは合成及びデマッピング器へ供給され、合成及びデマッピング器はソフトビットを生成し、ソフトビットはチャネルに依存して複数の復号器のいずれかへ入力される。
【００３３】
ＵＥは、まずＰＤＣＣＨ（physical  downlink  control  channel）を受信し及び復号して、ＰＤＳＣＨ（physical  downlink  shared  channel）上の割り当てに関する情報と共に、使用される送信モード及び変調符号化方式（ＭＣＳ）、アップリンク割り当て（スケジューリンググラント、ＳＧ）、アップリンク電力制御コマンドなど、を提供するダウンリンク制御情報（ＤＣＩ）を見つけ出す。しかしながら、それを受信する前に、ＵＥは、制御領域がどれほどの大きさか、即ち、サブフレーム内の先頭のＯＦＤＭシンボルのうちのいくつがＰＤＣＣＨを搬送しているかを知らせるＰＣＦＩＣＨ（physical  control  format  indicator  channel）を復号する。また、復号の前に、無線伝播チャネルが推定され及び合成重みが生成される必要がある。
【００３４】
ＰＤＣＣＨは、畳み込み符号化され、制御復号器により復号される。復号されたＤＣＩは、ベースバンドを構成するために使用される制御ユニットへ供給される。制御復号器は、アップリンク上の送信が成功裏に復号されたか否かに関する無線ネットワークノードからのフィードバック（ＵＬ  ＡＣＫ／ＮＡＣＫ；  ＵＬ  Ａ／Ｎ）をさらに出力し、及び、ＰＢＣＨ（physical  broadcast  channel）上で搬送されるマスタ情報ブロック（ＭＩＢ）を復号するためにも使用される。
【００３５】
ＤＣＩが一旦復号されると、概して、サブフレームのほぼ中間の時点で、ＰＤＳＣＨが次に来る。サブフレーム内の残りのリファレンス信号がチャネル推定を改善するために使用され、合成重みが使用中の送信モードのために適合され、そして、受信された変調シンボルが合成され及びデマッピングされて、復号の対象のソフトビットへと帰着する。復号開始が可能となる前にサブフレーム全体が受信されなければならないことから、これはタイミング的に次のサブフレームにおいて制御情報が受信され及び復号される最中にパイプライン型で生起する。
【００３６】
ＰＤＳＣＨは、ターボ符号化され及びデータ復号器を用いて復号される。データ復号器は、関連付けられるソフトビット合成器を伴うＨＡＲＱ（hybrid  automatic  request）の機能性とターボ復号器とを主に含む。ターボ復号器は、受信されたデータが（巡回冗長検査；ＣＲＣの成功により示される通り）成功裏に復号されるまで、又は時間（反復）切れとなるまで復号を反復する。復号失敗のケースにおいて、後続の反復においてそれほど多くの情報が訂正されないことをメトリックが示している場合、早期に断念してもよく、いわゆる早期断念機能（ＥＧＦ：early  give-up  function）という。パイプラインの形式の処理に起因して、ターボ復号器は、１サブフレームという時間長の範囲内で終了させなければならない。データが成功裏に復号されたか否かに関するフィードバック（ＡＣＫ／ＮＡＣＫ；ＤＬ  Ａ／Ｎ）は、サブフレームｎ＋４において無線ネットワークノードへ提供され、ここでサブフレームｎはデータが受信されたサブフレームである。
【００３７】
ＣＳＩレポーティングは、それがいつレポートされるべきかが事前にＵＥにとって既知である方式で周期的であってもよく、但し、ＣＳＩレポートがサブフレームｎ＋４において送信されるべきであることがＤＣＩにおいてＵＥへ通知される方式で周期的であってもよい。
【００３８】
ＯＦＤＭ復調器、チャネル推定器、合成重み計算器、合成及びデマッピング器、並びに制御復号器のための処理時間は使用される帯域幅に強く依存し、一方で、データ復号器のための処理時間は主にＨＡＲＱバッファのサイズを規定するＵＥカテゴリに依存する。
【００３９】
ＵＥは、サブフレームｎにおいてＳＧを受信した場合、サブフレームｎ＋４内のＰＵＳＣＨ（physical  uplink  shared  channel）上で送信を行うことになる。スケジューリングリクエスト（ＳＲ）、ＤＬ  Ａ／Ｎ及びＣＳＩは、ＵＣＩ符号化器により符号化されるアップリンク制御情報（ＵＣＩ）を構成する。送信されるべきデータは、ターボ符号化を遂行するデータ符号化器により符号化され、そしてＵＣＩが挿入される。変調シンボルはブロックマッピング器へ供給され、ブロックマッピング器は、変調シンボルとＵＬ  ＲＳＩＧ生成器により生成されるアップリンクリファレンスシンボルとを、許可された割り当てへマッピングする。結果としてのシンボルのシーケンスは、ＳＣ−ＦＤＭＡ変調器へ供給され、ＳＣ−ＦＤＭＡ変調器は、本質的にはＩＦＦＴを遂行し、その出力が無線機へ送出される。
【００４０】
スケジューリンググラントが受信されておらず但しＵＥがＵＬ  Ａ／Ｎ、ＣＳＩ及びＳＲを提供すべきであるケースでは、その情報は、予め定義されるフォーマットに従ってＰＵＣＣＨ（physical  uplink  control  channel）上で送信される。
【００４１】
ＵＬ  ＲＳＩＧ生成器、ブロックマッピング器及びＳＣ−ＦＤＭＡ変調器のための処理時間は使用される帯域幅に強く依存し、一方で、データ符号化器のための処理時間はＵＥカテゴリに依存する。
【００４２】
さらに、タイミングアドバンス（ＴＡ）と、最大１００ｋｍのセル半径をサポートするものと定めた規格とに起因して、アップリンクサブフレームｎは、ダウンリンクサブフレームｎが受信される０．６７ｍｓ前に送信されなければならない可能性がある。よって、ＵＥは、非周期的なＣＳＩレポーティングリクエストに対処し、ネットワークノードからのＵＬ  Ａ／Ｎに対処するなどしながら、ＤＬ  Ａ／Ｎのための時間を充足するために、おおよそ２ｍｓの範囲内で、あるサブフレームの全てのデータ関連の及びＣＳＩ関連の処理を行うことができなければならないであろう。
【００４３】
留意すべきこととして、コスト効率及び電力効率に起因して、ＵＥは、概して、例えばＤＬ及びＵＬそれぞれのキャリア数といった、サポートされる特徴及びケイパビリティのために、並びにそれらの各々についてサポートされる帯域幅のためにちょうど必要とされる処理キャパシティ、メモリサイズなどを有するように設計される。これは、例えば、ＦＦＴ及びＩＦＦＴがＯＦＤＭシンボルごとの期限に間に合うように、但しそれより速くはないように設計される形で反映される。
【００４４】
よって、本開示は、ＵＥの物理レイヤの制約について基地局へ通知することを提案する。そして、基地局は、目標ＢＬＥＲを維持する代わりに、目標復号マージンを維持し得る。復号マージンを示す情報に基づいてＭＣＳをチューニングすることで、基地局が適切なＭＣＳを探索する際により積極的になることが可能となる。なぜなら、ブロックエラーを取り込むことなくそれを行うことができるためである。ＵＥについてあまり保守的でないＭＣＳが使用されるであろうことから、他のＵＥにとってより多くのリソースが利用可能となり、システムスループットは改善するであろう。
【００４５】
拡張された送信フィードバックを提供する提案した技法は、これより、一例としてＬＴＥを用いてより詳細に説明されるであろう。ＬＴＥなどのセルラーシステムにおいて、ＬＴＥではユーザ機器（ＵＥ）と呼ばれるワイヤレスデバイスは、基地局により、アップリンク上での送信のためにどのＭＣＳ及び割り当てサイズを使用すべきかについて構成される。よって、アップリンクについて、本開示の基地局の側面のみが存在し、基地局からＵＥへ送信される復号マージンを示す情報は必要ではない。
【００４６】
但し、ダウンリンクについては、ＵＥは、復号マージンを示す情報をｅＮＢへ提供する必要がある。
【００４７】
留意すべきこととして、例示的な実施形態を説明するために、３ＧＰＰ  ＬＴＥからの専門用語がここで使用されているものの、これは、それら例示的な実施形態のスコープを上述したシステムのみに限定するものとして見られるべきではない。Ｗｉｆｉ、ＷＣＤＭＡ、ＷｉＭａｘ、ＵＭＢ及びＧＳＭ、並びに将来の無線アクセスシステムを含む他のワイヤレスシステムもまた、ここで開示される例示的な実施形態から恩恵を受け得る。
【００４８】
図１ａは、ＬＴＥではｅＮｏｄｅＢである無線ネットワークノード２０、及びＬＴＥではＵＥであるワイヤレスデバイス１０を含む、提案される技法が実装され得る通信システムを示している。この例において、ｅＮｏｄｅＢ２０はＵＥ１０へトランスポートブロックを送信し、それによりＵＥは成功裏の受信について確認応答を行い、提案される技法を用いてその成功裏の復号のマージンが示される。それによって、ＵＥは、図１ｂに示した物理レイヤのリソースにどの程度負荷が掛かっているかをｅＮｏｄｅＢへ通知する。
【００４９】
図２は、ネットワークノードにおいて実装される本提案技法の一般的な概念を示している。
【００５０】
理解されるべきこととして、図２〜図４は、実線の境界で描かれたいくつかの動作と、破線の境界で描かれたいくつかの動作とを含む。実線の境界内に含まれる動作は、より広い例示的な実施形態に含まれる動作である。破線の境界内に含まれる動作は、実線の境界の例示的な実施形態の動作に含まれてもよく、その一部であってもよく、又はそれに加えて取り入れられ得るさらなる動作であってもよい例示的な実施形態である。理解されるべきこととして、それら動作は、順序通りに実行されなくてもよい。そのうえ、理解されるべきこととして、それら動作の全てが実行される必要があるわけではない。例示的な動作は、いかなる適した順序で実行されてもよく、いかなる組み合わせで実行されてもよい。
【００５１】
ワイヤレスデバイス１０と通信する無線ネットワークノード２０において、送信特性を構成する方法が実行される。その方法は、無線ネットワークノード２０とワイヤレスデバイス１０との間の、送信特性のセットを用いて送信される第１のトランスポートブロックの成功裏の復号の復号マージンを示す情報を取得することＳ３、を含む。
【００５２】
復号マージンを示す情報は、例えば、復号マージンである。復号マージンは、ワイヤレスデバイス内の利用可能なリソース（例えば、処理キャパシティ）の、ブロックを成功裏に復号するために要したシェアを定義する。原理上、復号マージンは、上述した物理レイヤ内の他のブロックをも反映するであろう。しかしながら、復号マージンを示す情報は、復号器より前のステップ群を反映する他のメトリックをも含んでよい。時間、反復、又はアクティブなブロック若しくはユニットといった様々なメトリックが復号マージンを定義するために使用されてよい。
【００５３】
アップリンク送信について、復号は無線ネットワークノードにおいて行われる。その場合、復号マージンを示す情報の取得は、無線ネットワークノードにおいて利用可能な情報を読み取ることを含む。ダウンリンク送信について、復号は、トランスポートブロックを受信するＵＥにおいて行われる。その場合、無線ネットワークノードは、ワイヤレスデバイスから復号マージンを示す情報に関する情報を受信する必要がある。これら２つの派生が以下にさらに議論されるであろう。
【００５４】
いくつかの側面によれば、復号マージンを示す情報は、第１のトランスポートブロックの受信及び／又は復号のために使用された、無線ネットワークノード２０又はワイヤレスデバイス１０の処理キャパシティのシェアの標識を含む。いくつかの側面によれば、その処理キャパシティとは、復号を実行するユニットの物理レイヤ処理を実装する１つ以上のデジタル信号プロセッサの処理キャパシティである。
【００５５】
いくつかの側面によれば、復号のマージンは、復号の反復回数を指し示す。１つの例は、図１ａに関連して説明したような、ターボ復号器による反復である。よって、予め定義される閾値を上回る反復回数をトランスポートブロックを復号するために要した場合、ソフトＡＣＫが送信される。これは、トランスポートブロックを復号するために必要とされた労力が大きかったことを指し示す。
【００５６】
いくつかの側面によれば、復号のマージンは、受信及び／又は復号の期間中にアクティブ化され又は使用されるハードウェアユニットの数を指し示す。例えば、いくつもの受信機ブランチ又は受信機アンテナがアクティブである場合、ＳＡＣＫが送信される。例えば、確認応答がなされるその時点のモードは、ＵＥが２つのＲｘアンテナを使用することを要し、但しＵＥは４つのアンテナを有していて、従って受信を改善するためにより多くのアンテナを有効化することができるかもしれない。その場合、労力がより小さいことを指し示すハードＡＣＫが送信されるはずである。
【００５７】
ハードウェアユニットの他の例は、処理ユニット又はメモリユニットである。復号マージンを示す情報は、反復、ハードウェアユニット及び他のパラメータの組み合わせに基づいて計算されることもできるであろう。パラメータの１つの例は、メッセージを成功裏に復号、即ち検出した際に復号器により計算可能なＢＥＲ（bit  error  rate）であり、その中で前方エラー訂正（ＦＥＣ）が作動する。
【００５８】
上記方法は、さらに、取得される上記復号マージンを示す情報に基づいて、無線ネットワークノード２０とワイヤレスデバイス１０との間のさらなる送信のために使用されるように送信特性を再構成することＳ４、を含む。言い換えれば、無線ネットワークノードは、ネットワークリソースの利用率を改善する目的で、復号のマージンを利用し得る。
【００５９】
いくつかの側面によれば、再構成することＳ３は、上記トランスポートブロックの送信のロバスト性に対して、受信側のワイヤレスデバイス１０への１つ以上のさらなるトランスポートブロックの送信のロバスト性を変更すること、を含む。そのロバスト性とは、ブロックエラーのリスクであり、典型的にはリソース使用に依存する。
【００６０】
いくつかの側面によれば、再構成することＳ３は、復号のマージンが予め定義されるレベルを下回る場合に、上記トランスポートブロックの送信のロバスト性よりも高いロバスト性に対応する送信特性を選択すること、を含む。いくつかの側面によれば、再構成することＳ３は、復号マージンが予め定義されるレベルを上回る場合に、上記トランスポートブロックの送信のロバスト性よりも低いロバスト性に対応する送信特性を選択すること、を含む。言い換えれば、復号マージンを示す情報が高い場合、無線ネットワークノードは、何らかの手法でロバスト性の低い送信を選択することを決定し得る。上記予め定義されるレベルは、予め定義されてもよく、又はその時点の状況若しくは使用されるサービスに基づいて動的に調整されてもよい。Ｃ−ＭＴＣについて固有のレベルが使用されてもよい。
【００６１】
よって、ロバスト性は、典型的には、リソースを追加することにより増大され、又はリソースを低減することにより減少させられる。リソースは、例えば、物理リソース又は無線リソース（時間及び／又は周波数）である。
【００６２】
いくつかの側面によれば、ロバスト性は、ＵＥが空間ダイバーシティの使用（ＭＩＭＯ）が可能となるはずのチャネル条件（ＲＩを介するランク）をレポートした場合でさえ、空間ダイバーシティを使用する代わりに送信ダイバーシティを用いてダウンリンク上で送信を行うことにより調整される。
【００６３】
いくつかの側面によれば、ロバスト性は、ＭＣＳ単独ではなく他の手段を組み合わせることにより調整される。例えば、ダウンリンク送信は、ＵＥ割り当てのために、データとリファレンスシンボルとの間で異なる電力オフセットを使用してもよく、又はセル境界にいるＵＥの受信を改善するためにＩＣＩＣ／ｅＩＣＩＣを適用してもよい。
【００６４】
また、ロバスト性は、ＵＥが空間ダイバーシティの使用（ＭＩＭＯ）が可能となるはずのチャネル条件（ＲＩを介するランク）をレポートした場合でさえ、空間ダイバーシティを使用する代わりに送信ダイバーシティを用いてダウンリンク上で送信を行うことにより調整されてもよい。
【００６５】
典型的には、ロバスト性は、ブロックごとに変更されるのではなく、例えばＳＡＣＫとＨＡＣＫとの間の比率など、平均的な復号マージンを示す情報に基づいて変更される。その比率は、転じて、ロバスト性のレベルが変更されるべきかを制御する。これは、ＭＣＳオフセットが例えば１０％のＢＬＥＲを有するように調整される既存のアウターループリンク適応に類似している。
【００６６】
よって、いくつかの側面によれば、上記方法は、さらに、無線ネットワークノード２０とワイヤレスデバイス１０との間の、送信特性のセットを用いて送信される前回の及び現在のトランスポートブロックの復号マージンを示す情報を表現する蓄積された復号マージンを計算することＳ３５、を含む。そして、再構成することＳ４は、蓄積された復号マージンに基づく。
【００６７】
いくつかの側面によれば、上記方法は、さらに、再構成された送信特性を用いて、受信側のワイヤレスデバイス１０へ１つ以上のさらなるトランスポートブロックを送信することＳ４、を含む。
【００６８】
［アップリンク送信］
図３は、トランスポートブロックがワイヤレスデバイス１０から無線ネットワークノード２０へ送信される、提案される方法の側面を示しており、これはアップリンク派生としても言及される。
【００６９】
ＬＴＥなどのセルラーシステムでは、ＬＴＥにおいてユーザ機器（ＵＥ）と呼ばれるワイヤレスデバイスは、アップリンク上での送信のためにどのＭＣＳ及び割り当てサイズを使用すべきかについて基地局により構成される。よって、アップリンクについて、本開示の基地局の側面のみが存在し、基地局からＵＥへ送信される復号マージンを示す情報は必要ではない。
【００７０】
よって、いくつかの側面によれば、上記方法は、ワイヤレスデバイス１０が無線ネットワークノード２０への送信を行う際に使用すべき送信特性のセットを、無線ネットワークノードが構成することＳ０ａにより開始される。これは、無線ネットワークノード内のスケジューラにより実行される動作である。
【００７１】
アップリンク送信の例において、上記方法は、無線ネットワークノードが第１のトランスポートブロックをワイヤレスデバイス１０から受信することＳ１ａ、を含む。その場合、上記方法は、さらに、無線ネットワークノード２０において、当該無線ネットワークノードが第１のトランスポートブロックを復号することＳ２ａ、を含む。
【００７２】
そして、無線ネットワークノード２０は、当該無線ネットワークノード内でブロックを復号するために要したキャパシティを読み取り又は調査することにより、復号マージンを示す情報を取得し得る。上で議論したように、復号マージンを示す情報は、復号器の反復又はアクティブなハードウェアを調査することにより取得されてもよい。
【００７３】
それら側面によれば、再構成することＳ４は、復号マージンを示す情報に基づいて、ワイヤレスデバイス１０から無線ネットワークノードへのさらなる送信のために使用されるように送信特性を再構成することＳ４ａ、を含む。上で議論したように、そうした送信は、典型的には、無線ネットワークノードからスケジューリングされる。再構成は、図２との関係で上で議論したように実行される。
【００７４】
いくつかの側面によれば、上記方法は、再構成された送信特性を定義する情報をワイヤレスデバイスへ送信することＳ５ａ、をさらに含む。これは、典型的には、ワイヤレスデバイスからのさらなる送信をスケジューリングする際に無線ネットワークノードにより行われる。よって、復号マージンを示す情報が高かった場合に、無線ネットワークノードは、上で議論したようにロバスト性の低い送信をスケジューリングすることを選択し得る。
【００７５】
そして、無線ネットワークノードは、再構成された送信特性を用いて、ワイヤレスデバイスから１つ以上のさらなるトランスポートブロックを受信Ｓ６ａしてもよい。その場合、再構成は、概して、時折ブロックエラーを取り込むようなことなく可能であるものと想定される。理解されなければならないこととして、チャネル特性が変化すれば、いずれにしろブロックエラーは当然発生し得る。しかしながら、それは本開示のスコープ外であるはずである。
【００７６】
［ダウンリンク送信］
図４は、第１のトランスポートブロックが無線ネットワークノード２０からワイヤレスデバイス１０へ送信される、提案される方法の側面を示しており、これはダウンリンク派生としても言及される。
【００７７】
言わばＬＴＥでは、基地局自体がダウンリンク上での送信のためにどのＭＣＳ及び割り当てサイズを使用すべきかを制御する。しかしながら、ダウンリンク送信について、ＬＴＥではＵＥと呼ばれるワイヤレスデバイスにおいて復号が実行される。よって、ダウンリンクについて、復号マージンを示す情報をＵＥがｅＮｏｄｅＢへ提供する必要がある。
【００７８】
増分冗長性（incremental  redundancy）は、ワイヤレスデバイスが、トランスポートブロックの第１の冗長バージョンを受信し及び復号することを試行し、それが失敗した場合にトランスポートブロックの第２の冗長バージョンを受信して、いわゆるソフト合成でそれを第１の冗長バージョンと合成し復号を試行することを可能にする。同じトランスポートブロックの（再）送信は、送信時間インターバル（ＴＴＩ）バンドリングなどの機能が使用されない限り最小で８ｍｓの距離を以って生起する。ＴＴＩバンドリングによると、複数の冗長バージョンが、前の冗長バージョンが成功裏に復号されたかに関するフィードバックを待ち受けることなく後続のサブフレームにおいて送信される、
【００７９】
ハイブリッド自動再送要求（ＨＡＲＱ）は、増分冗長性の手段によってワイヤレスデバイスとネットワークノードとの間の信頼性の高い通信を可能とする、３Ｇ標準及び４Ｇ標準の不可欠な部分である。送信されるべきトランスポートブロックは、前方エラー訂正符号化の対象とされ、それにより冗長性が取り入れられる。ビット数は、取り入れられる冗長性に起因して増加し、但し全てのビットが同時に送信されるわけではない。結果として生じるビットは、複数のいわゆる冗長バージョンへとセグメント化され、そうした各冗長バージョンは、さらに、所与の割り当て（１つ以上のリソースブロックペア）にフィットするように送信前に間引かれる。どの程度の間引きが行われるかは、割り当てにおいていくつのビット（情報ビット及び冗長ビット）が搬送可能であるかに依存し、それはさらに、割り当て帯域幅、使用される変調法（例えば、ＱＰＳＫ、１６ＱＡＭ、２５６ＱＡＭ）、並びに、割り当て帯域幅内のブロードキャストされる信号及びチャネルの存在に依存する。トランスポートブロック内の情報ビットと情報ビットプラス冗長ビットとの間の比率を、コードレートという。コードレートと変調タイプとの組み合わせを、変調符号化方式という。
【００８０】
受信エンティティがトランスポートブロックを復号できるようになることなく再送の最大回数に達した場合、プロトコルデータユニット（ＰＤＵ）が逸失したことが上位レイヤ（例えば、無線リンク制御（ＲＬＣ））によって概して５０〜１００ｍｓ以内に検出され、そのＲＬＣ  ＰＤＵを含む全てのトランスポートブロックについて再送が要求される。成功したかもしれないトランスポートブロックでさえそうである。これを自動再送要求（ＡＲＱ）といい、ＨＡＲＱ再送よりもかなり大きいレイテンシを有する。
【００８１】
受信エンティティであるワイヤレスデバイス又は基地局は、トランスポートブロックの復号が成功したか（ＡＣＫ）又は失敗したか（ＮＡＣＫ）に関するフィードバックを送信エンティティへ提供する。送信エンティティは、すると、同じブロックについて他の冗長バージョンを送信すべきか又は次のトランスポートブロックについての冗長バージョンを送信すべきかについて決定を行い得る。
【００８２】
よって、ダウンリンクの実装について、復号マージンの情報を示す情報を含むＡＣＫレポーティングを導入することを要する。
【００８３】
言い換えれば、ワイヤレスデバイスからのＡＣＫレポーティングにおけるより精細な粒度を導入することが必要とされる。既存のＨＡＲＱの実装は、典型的には、二値のレポーティング（ＡＣＫ又はＮＡＣＫ）、又は恐らくは複数のＮＡＣＫレベルを可能としている。ブロックエラーをさらに取り込むことなく基地局側でより良好なＭＣＳのチューニングを可能とするために、例えば“ソフトＡＣＫ”及び“ハードＡＣＫ”というＡＣＫの２つ以上のレベルが導入されてよく、ここで、ソフトＡＣＫは、物理レイヤ処理リソースの欠乏に近く少ないマージンでＵＥによりブロックが復号されたことを指し示し、ハードＡＣＫは、ブロックが良好なそうしたマージンで復号されたことを指し示す。
【００８４】
いくつかの側面によれば、上記方法は、ワイヤレスデバイス１０へ、復号マージンを示す情報のレポーティングを有効化するためのリクエストを送信することＳ０ｂ１、をさらに含む。いくつかの側面によれば、上記方法は、ワイヤレスデバイス１０から、復号マージンを示す情報のレポーティングを有効化するためのリクエストを受信することＳ０ｂ２、をさらに含む。
【００８５】
この側面によれば、第１の送信Ｓ１ｂは、送信特性のセットを使用する。
【００８６】
本開示のダウンリンク派生によれば、取得することＳ３は、ワイヤレスデバイス１０から、ワイヤレスデバイス１０における第１のトランスポートブロックの受信及び成功裏の復号を確認する確認応答、並びに当該復号の復号マージンを示す情報を定義する情報を受信することＳ３ｂ、を含む。確認応答は、通信プロトコルの一部として、通信デバイス間で確認応答又はレスポンスの受信を知らせるために受け渡される信号である。言い換えれば、受信側のワイヤレスデバイスは、トランスポートブロックが成功裏に復号され、再送を要しないことを指し示した。よって、ＡＣＫは、受信側のワイヤレスデバイスの制約を指し示す情報を含む。その制約は、例えば、合計キャパシティの一部として指し示されてもよい。よって、いくつかの側面によれば、復号のマージンは、無線ネットワークノード２０の処理キャパシティの、トランスポートブロックの受信及び／又は復号のために使用された部分の標識を含む。
【００８７】
本派生のいくつかの側面によれば、受信することＳ３ｂは、複数のあり得るＡＣＫレベルのうちの１つを定義する情報を受信すること、を示唆し、各レベルが予め定義されるレンジの範囲内の復号のマージンに対応する。別の言い方をすると、復号マージンを示す情報は、送信Ｓ１ｂのロバスト性を減少させると復号の不成功のリスクが過酷となるかに関する標識である。この側面は、各々が復号マージンを示す情報を表す１つ以上のＡＣＫレベルが導入されることを示唆し、その情報は即ち、ブロックを成功裏に復号するためにどの程度のキャパシティ又はどの程度の労力を受信機及び／又は復号器が使用しなければならないか、である。例えば、ソフトＡＣＫ及びハードＡＣＫがあって、ソフトＡＣＫはＵＥがブロックを成功裏に復号したもののかろうじて復号できたに過ぎないことを指し示す。ハードＡＣＫは、ブロックが良好なマージンを伴って成功裏に復号されたことを指し示す。ソフトＡＣＫを受信することにより、基地局は、チャネルの変動に起因して後続のパッケージが失敗するリスクが存在することを知らされる。ＵＥは、自身の物理レイヤ処理キャパシティにどの程度近いかに基づいて、成功裏に復号したブロックについてソフトＡＣＫを送信するか又はハードＡＣＫを送信するかを決定し得る。
【００８８】
本開示のダウンリンク派生によれば、再構成することＳ４は、復号マージンを示す情報に基づいて、ワイヤレスデバイス１０への１つ以上のさらなるトランスポートブロックの送信のために使用されるように送信特性を再構成することＳ４ｂ、を含む。よって、復号マージンを示す情報が良好であることをＵＥが通信する場合、無線ネットワークノードは、上述したようにロバスト性の低い送信を選択してもよく、逆もまたしかりである。
【００８９】
本派生のいくつかの側面によれば、上記方法は、再構成された送信特性を用いて、ワイヤレスデバイス１０へ１つ以上のさらなるトランスポートブロックを送信することＳ５ｂ、をさらに含む。
【００９０】
［無線ネットワークノードの例示的なノード構成］
図５は、上で議論した例示的なノードの動作の実施形態のいくつかを取り入れ得る無線ネットワークノード２０の一例を示している。無線ネットワークノードは、例えば、ｅＮｏｄｅＢである。図５に示したように、無線ネットワークノード２０は、ネットワーク内で任意の形式の通信又は制御信号を送受信するように構成される無線通信インタフェース２１、を備え得る。理解されるべきこととして、無線通信インタフェース２１は、いかなる数の送受信、受信、及び／又は送信ユニット若しくは回路として設けられてもよい。さらに理解されるべきこととして、無線通信インタフェース２１は、当分野で知られたいかなる入出力通信ポートの形式であってもよい。無線通信インタフェース２１は、ＲＦ回路及びベースバンド処理回路（図示せず）を含み得る。
【００９１】
無線ネットワークノード２０は、コアネットワーク及び／又は他のネットワークノードとの間で任意の形式の通信信号又は制御信号を交換するように構成されるネットワーク通信インタフェース２３を備え得る。ネットワーク通信は、典型的には、バックホールとして言及される。
【００９２】
無線ネットワークノード２０は、さらに、無線通信インタフェース２１と通信関係にあり得る少なくとも１つのメモリユニット又は回路２４を備え得る。メモリ２４は、受信され若しくは送信されるデータ、及び／又は実行可能なプログラム命令を記憶する、ように構成され得る。また、メモリ２４は、任意の形式のビームフォーミング情報、リファレンス信号、及び／又はフィードバックデータ若しくは情報を記憶する、ように構成されてもよい。メモリ２４は、いかなる適したタイプのコンピュータ読取可能なメモリであってもよく、揮発タイプであっても及び／又は不揮発タイプであってもよい。いくつかの側面によれば、本開示は、第１のワイヤレスノードにおいて実行された場合に、当該第１のワイヤレスノードに、上述した例示的なノードの動作の何らかの側面を実行させるコンピュータプログラムコード又は命令セット、を含むコンピュータプログラムに関する。
【００９３】
無線ネットワークノード２０は、さらに、無線ネットワークノード２０とワイヤレスデバイス１０との間で送信される第１のトランスポートブロックの成功裏の復号の復号マージンを示す情報を取得し、取得される上記復号マージンを示す情報に基づいて、無線ネットワークノード２０とワイヤレスデバイス１０との間のさらなる送信のために使用されるように送信特性を再構成する、ように構成されるコントローラ又は処理回路２２、を備え得る。
【００９４】
処理回路２２は、例えばマイクロプロセッサ、ＤＳＰ（digital  signal  processor）、ＦＰＧＡ（field  programmable  gate  array）若しくはＡＳＩＣ（application  specific  integrated  circuit）又は任意の他の形式の回路など、いかなる適したタイプの計算ユニットであってもよい。理解されるべきこととして、処理回路は、単一のユニットとして提供されなくてもよく、いかなる数のユニット又は回路として提供されてもよい。処理回路は、さらに、ここまで及びこれ以降で説明したネットワークノードにおける方法の全ての側面を実行するように適合される。
【００９５】
いくつかの側面によれば、上記処理回路は、無線ネットワークノード２０とワイヤレスデバイス１０との間の１つ以上のさらなるトランスポートブロックの送信のロバスト性を、第１のトランスポートブロックの送信のロバスト性に対して変更することにより、送信特性を再構成する、ようにさらに構成される。例えば、上記復号マージンを示す情報は、第１のトランスポートブロックの受信及び／又は復号のために使用された、無線ネットワークノード２０又はワイヤレスデバイス１０の処理キャパシティのシェアの標識を含む。
【００９６】
いくつかの側面によれば、上記処理回路は、復号マージンを示す情報が予め定義されるレベルを下回る場合に、第１のトランスポートブロックの送信の送信信号のロバスト性よりも高いロバスト性に対応する送信特性を選択することにより、送信特性を再構成する、ようにさらに構成される。
【００９７】
いくつかの側面によれば、上記処理回路は、復号マージンを示す情報が予め定義されるレベルを上回る場合に、第１のトランスポートブロックの送信の送信信号のロバスト性よりも低いロバスト性に対応する送信特性を選択することにより、送信特性を再構成する、ようにさらに構成される。
【００９８】
いくつかの側面によれば、上記処理回路は、無線ネットワークノード２０とワイヤレスデバイス１０との間の、送信特性のセットを用いて送信される前回の及び現在のトランスポートブロックの復号マージンを示す情報を表現する蓄積された復号マージンを計算Ｓ３５する、ようにさらに構成される。そして、上記再構成Ｓ４は、蓄積された復号マージンに基づく。
【００９９】
いくつかの側面によれば、送信特性は、変調符号化方式、無線アクセス技術、ＭＩＭＯ（Multiple  Input  Multiple  Output）送信モード、ビームフォーミング、プリコーディング行列、及び送信電力、という特性のうちの１つ又は複数を含む。
【０１００】
いくつかの側面によれば、上記処理回路は、ワイヤレスデバイス１０から無線ネットワークノード２０へ送信される第１のトランスポートブロックの成功裏の復号の復号マージンを示す情報を取得する、ように構成される。これは、提案技法のアップリンクバージョンに対応する。その場合、上記処理回路は、第１のトランスポートブロックをワイヤレスデバイス１０から受信する、ように構成される。そのブロックは、送信特性のセットを用いて送信される。
【０１０１】
提案技法のアップリンクバージョンでは、無線ネットワークノードは、第１のトランスポートブロックを復号する、ように構成される。アップリンク派生において、上記処理回路は、復号マージンを示す情報に基づいて、ワイヤレスデバイス１０からのさらなる送信のために使用されるように送信特性を再構成する、ように構成される。典型的には、上記処理回路は、再構成された送信特性を定義する情報をワイヤレスデバイス１０へ送信する、ように構成される。これは、例えば、ワイヤレスデバイスをスケジューリングすることにより行われる。
【０１０２】
いくつかの側面によれば、上記処理回路は、無線ネットワークノードへの送信の際にワイヤレスデバイス１０において使用されるように送信特性のセットを構成する、ように構成される。
【０１０３】
いくつかの側面によれば、上記処理回路は、再構成された送信特性を用いて、ワイヤレスデバイスから１つ以上のさらなるトランスポートブロックを受信する、ように構成される。
【０１０４】
提案技法がダウンリンク送信に適用される場合、上記処理回路は、無線ネットワークノード２０からワイヤレスデバイス１０へ送信される第１のトランスポートブロックの成功裏の復号の復号マージンを示す情報を取得する、ように構成される。上記処理回路は、送信特性のセットを用いて、第１のトランスポートブロックをワイヤレスデバイス１０へ送信する、ように構成され、上記処理回路は、ワイヤレスデバイス１０から、ワイヤレスデバイス１０における第１のトランスポートブロックの受信及び成功裏の復号を確認する確認応答、並びに当該復号の復号マージンを示す情報を定義する情報を取得する、ように構成される。ダウンリンク派生において、上記処理回路は、復号マージンを示す情報に基づいて、ワイヤレスデバイス１０への１つ以上のさらなるトランスポートブロックの送信のために使用されるように送信特性を再構成する、ように構成される
【０１０５】
典型的には、上記処理回路は、再構成された送信特性を用いて、ワイヤレスデバイス１０へ１つ以上のさらなるトランスポートブロックを送信する、ように構成される。
【０１０６】
いくつかの側面によれば、上記受信Ｓ４ｂは、複数のあり得るＡＣＫレベルのうちの１つを定義する情報を受信すること、を含み、各レベルが予め定義されるレンジの範囲内の復号マージンを示す情報に対応する。
【０１０７】
上で議論したように、復号マージンを示す情報のレポーティングは、様々な手法で開始されてよい。いくつかの側面によれば、上記処理回路は、ワイヤレスデバイス１０へ、復号マージンを示す情報のレポーティングを有効化するためのリクエストを送信する、ように構成される。いくつかの側面によれば、上記処理回路は、ワイヤレスデバイス１０から、復号マージンを示す情報のレポーティングを有効化するためのリクエストを受信する、ように構成される。
【０１０８】
いくつかの側面によれば、上記処理回路は、ワイヤレスデバイス１０から無線ネットワークノード２０へ送信される第１のトランスポートブロックの成功裏の復号の復号マージンを示す情報を取得する、ように構成される。その場合、上記処理回路は、ワイヤレスデバイス１０から第１のトランスポートブロックを受信し、第１のトランスポートブロックを復号する、ように構成される。そして、上記処理回路は、上記復号マージンを示す情報に基づいて、ワイヤレスデバイス１０からのさらなる送信のために使用されるように前記送信特性を再構成する、ように構成される。
【０１０９】
いくつかの側面によれば、上記処理回路は、再構成された送信特性を定義する情報をワイヤレスデバイス１０へ送信する、ように構成される。いくつかの側面によれば、上記処理回路は、無線ネットワークノード２０への送信の際にワイヤレスデバイス１０において使用されるように送信特性のセットを構成する、ように構成される。いくつかの側面によれば、上記処理回路は、再構成された送信特性を用いて、ワイヤレスデバイスから１つ以上のさらなるトランスポートブロックを受信する、ように構成される。
【０１１０】
いくつかの側面によれば、無線ネットワークノード２０又は処理回路２２は、上述した様々な方法ステップ及び側面を実行するための１つ以上の物理的なモジュールを含む。それらモジュールは、ハードウェア若しくはソフトウェアで、又はそれらの組み合わせで実装される。それらモジュールは、いくつかの側面によれば、処理回路２２上で稼働する、メモリ２４内に記憶されるコンピュータプログラムとして実装される。そうしたモジュールの例は、次の通りである：
ワイヤレスデバイスへ復号マージンを示す情報のレポーティングを有効化するためのリクエストを送信し、又はワイヤレスデバイスから当該リクエストを受信する、ように構成される開始部２２０。
ワイヤレスデバイスから第１のトランスポートブロックを受信する、ように構成される受信部２２１。
第１のトランスポートブロックを復号する、ように構成される復号部２２２。
第１のトランスポートブロックの成功裏の復号の復号マージンを取得する、ように構成される取得部２２３。
前回の及び現在のトランスポートブロックの復号マージンを表現する蓄積された復号マージンを計算する、ように構成される計算部２２３５。
復号マージンに基づいて、無線ネットワークノードと無線通信デバイスとの間のさらなる送信のために使用されるように送信特性を再構成する、ように構成される再構成部２２４。
再構成された送信特性を定義する情報をワイヤレスデバイスへ送信し、又は再構成された送信特性を定義する情報をワイヤレスデバイスへ送信する、ように構成されるモジュールである、送信モジュール２２５。
再構成された送信特性を用いて、受信側のワイヤレスデバイスから１つ以上のさらなるトランスポートブロックを受信する、ように構成される受信モジュール２２６。
【０１１１】
これらモジュールは、上述した通りの方法の様々な側面を実行する、ように構成される。
【０１１２】
［ダウンリンク送信の例示的な実装］
ダウンリンク送信のための基地局側での本開示の例示的な処理ステップが図６に示されている。
【０１１３】
基地局は、ＵＥからＨＡＲＱインジケータを受信（６１）し、ＢＬＥＲ及びＳＡＲについての統計及び履歴を更新（６２）する。履歴は、ここでは、例えば、直近のＮ個の、ＢＬＥＲについてのＮＡＣＫ及びＡＣＫ（ソフトＡＣＫ又はハードＡＣＫ）、並びにＳＡＲについてのソフトＡＣＫ及びハードＡＣＫを収容するバッファであってよい。バッファリングされるデータは、ＢＬＥＲ及びＳＡＲをそれぞれ計算するために使用される。
【０１１４】
ＮＡＣＫが受信されるケース（６３；ＹＥＳ）では、基地局は、ロバスト性の相当に高い送信を提供する安全な設定へと、ＵＥについてのＭＣＳオフセットを即座に調整する（６８）。また、基地局は、ＳＡＲ統計をリセットし、ＳＡＲを計算する際に使用したバッファをクリアする（６９）。後続の送信において、基地局は、ＵＥによりレポートされた具体的なＣＱＩインデックスのためにどのＭＣＳを使用すべきかを判定する際に、新たなＭＣＳオフセットを適用する。その修正は、例えば、ＵＥへトランスポートブロックが送信された際に使用されたものよりも２レベル以上高くロバスト性を増加させることに相当し得る。
【０１１５】
ハード又はソフトＡＣＫが受信された場合（６３；ＮＯ）、基地局は、ＳＡＲが目標（例えば、ＳＡＲ１０％）を上回るかをチェックし、上回るときは（６４；ＹＥＳ）、例えばＵＥへトランスポートブロックが送信された際に使用されたものより１つ上のレベルのロバスト性を達成するようにＭＣＳオフセットを修正（６６）し、後続の送信についてＭＣＳを判定する際にそのＭＣＳオフセットを使用する。ＳＡＲが目標以下であるときは（６４；ＮＯ）、基地局は、ＳＡＲがどの程度長い時間目標を続けて下回ってきたかをチェックする。その時間が、実際の時間を表現し得るある時間Ｔ、又はソフトＡＣＫ若しくはハードＡＣＫを受信してきたＴＴＩを超える場合（６５；ＹＥＳ）、それら送信は、ある時間にわたり意図されるよりもロバストであったということであり、基地局は、例えばＵＥへトランスポートブロックが送信された際に使用されたものより１つ下のレベルのロバスト性のレベルへＭＣＳオフセットを低減（６７）する。Ｔというパラメータ値は、例えば０（瞬間的）以上で構成されてよく、それにより、ロバスト性の低減に関するシステムの反応の程度をチューニングすることが可能とされる。ステップ６１〜６５は、図４のステップＳ３ｂに対応し、ステップ６６及び６７は、ステップＳ４ｂに対応する。
【０１１６】
そして、基地局は、後続の送信について使用すべきＭＣＳを判定する際に、新たなＭＣＳオフセットを適用する（Ｓ５ｂ）。
【０１１７】
ＳＡＲが十分長く目標を下回っていなかった場合（６５；ＮＯ）、基地局は、前回の送信において使用されたものと同じＭＣＳオフセットを使用する。
【０１１８】
注：基地局により期待された時にＵＥがＡＣＫ／ＮＡＣＫを送信しないケースは、ＮＡＣＫとしてカウントされてよい。
【０１１９】
［アップリンク送信の例示的な実装］
アップリンク（ＵＬ）受信及び送信のための基地局側での本発明の例示的な処理ステップが図７に示されている。
【０１２０】
基地局は、ＵＥからトランスポートブロックを受信（７１）し、その復号を試行（７１）する。これは、図３におけるステップＳ１ａ及びＳ２ａに対応する。次いで、無線ネットワークノードは、復号が成功したか否か（７３）に基づいて、ＵＬ  ＢＬＥＲ統計を更新（７２）する。復号が失敗したケース（７３；ＮＯ）では、基地局は、ロバスト性の相当に高い送信を提供する安全な設定へと、ＵＥについてのＵＬ  ＭＣＳオフセットを即座に調整する（７４）。また、基地局は、ＳＡＲ統計をリセット（７５）し、及びＳＡＲを計算する際に使用したバッファをクリアする。後続の送信において、基地局は、アップリンク上での送信の際にどのＭＣＳをＵＥが使用するように構成するかを判定する際に、新たなＭＣＳオフセットを適用する。その修正は、例えば、受信されたトランスポートブロックについてＵＥにより使用されたものよりも２レベル以上高くロバスト性を増加させることに相当し得る。
【０１２１】
基地局は、ＵＥを構成するためのＵＬ  ＭＣＳを判定する際に、ＵＬ  ＣＲＳ測定結果及び／又はＳＲＳを考慮に入れてもよく、例えばＴＤＤのケースでは、ＵＥによりレポートされるＤＬ  ＣＱＩを考慮に入れてもよい（相互性−アップリンク及びダウンリンクについて同一の周波数が使用されることから、本質的に無線チャネルは同様である）。
【０１２２】
一方で復号に成功した場合（７３；ＹＥＳ）、基地局は、アップリンク復号のためのキャパシティ又は予定されたキャパシティと比較して十分なマージンが存在するかを評価する。キャパシティが不十分である場合（７６；ＮＯ）、基地局は、成功裏の復号をソフトＡＣＫ７７として理解し、そうでない場合（７６；ＮＯ）、ハードＡＣＫ７８として理解する。そして、基地局は、ＳＡＲ統計及び履歴を更新する（７９）。ステップ７６〜７９は、原理上、図３において説明したような、第１のトランスポートブロックの復号の復号マージンを示す情報を取得するステップＳ３ａに対応する。
【０１２３】
基地局は、ＳＡＲが目標（例えば、ＳＡＲ５％）を上回るかをチェックし、上回るときは（８０；ＹＥＳ）、例えばＵＥによりトランスポートブロックが送信された際に使用されたものより１つ上のレベルのロバスト性を達成するようにＭＣＳオフセットを修正（８２）し、アップリンク上での後続の送信８４についてＭＣＳを判定する際にそのＭＣＳオフセットを使用する。
【０１２４】
ＳＡＲが目標以下であるときは（８０；ＮＯ）、基地局は、ＳＡＲがどの程度長い時間目標を続けて下回ってきたかをチェックする。その時間が、実際の時間を表現し得るある時間Ｔ、又はソフトＡＣＫ若しくはハードＡＣＫを受信してきたＴＴＩを超える場合（８１；ＹＥＳ）、それらＵＬ送信は、ある時間にわたり意図されるよりもロバストであったということであり、基地局は、例えばＵＥによりトランスポートブロックが送信された際に使用されたものより１つ下のレベルのロバスト性のレベルへＭＣＳオフセットを低減（８３）する。Ｔというパラメータ値は、例えば０（瞬間的）以上で構成されてよく、それにより、ロバスト性の低減に関するシステムの反応の程度をチューニングすることが可能とされる。ＭＣＳの上記修正は、図３において議論したように、復号に基づいてワイヤレスデバイスからのさらなる送信のために使用されるように送信特性を再構成することに対応する。
【０１２５】
そして、基地局は、後続のアップリンク送信について使用されるべきＭＣＳを判定する際に、新たなＭＣＳオフセットを適用する（８４）。
【０１２６】
ＳＡＲが十分長く目標を下回っていなかった場合（８１；ＮＯ）、基地局は、前回のアップリンク送信と同様の同じＭＣＳオフセットを使用するようにＵＥを構成する。
【０１２７】
なお、Ｔに加えて、ＢＬＥＲ及びＳＡＲ履歴の長さは、ダウンリンクとアップリンクとの間で異なってよい。
【０１２８】
ＳＡＲ目標は、アップリンクとダウンリンクとの間で異なってよい。
【０１２９】
ＳＡＲ統計及びＭＣＳオフセットは、アップリンク及びダウンリンクのそれぞれで、全てのＨＡＲＱプロセスに適用されてもよく、又は、個々のＨＡＲＱプロセスに適用されてもよい。共通の統計がいずれかの方向についての複数のＨＡＲＱプロセスのために使用される場合、ＭＣＳが修正される時点から、ＭＣＳをさらに増加させるかが評価されるまでに、ある追加的なレイテンシが取り入れられなければならないかもしれない。なぜなら、変更の影響を次の送信が生じる前に観測することができないからである。
【０１３０】
さらに、異なる複数の基地局がＳＡＲ統計がリセットされるケースをいかに扱うかに関して異なる戦略を使用してもよい。
【０１３１】
本開示の文脈の範囲内で、“ワイヤレス端末”又は“ワイヤレスデバイス”との用語は、ワイヤレス信号を送受信することにより、他のデバイスとの間で、及びオプションとしてワイヤレスネットワークのアクセスノードとの間でワイヤレスに通信可能ないかなる端末をも包含する。よって、“ワイヤレス端末”との用語は、限定ではないものの、例えばＬＴＥ  ＵＥなどのユーザ機器、モバイル端末、マシンツーマシン通信用の据え置き型の若しくは移動型のワイヤレスデバイス、集積された若しくは組み込まれたワイヤレスカード、外部プラグイン式のワイヤレスカード、ドングルなどを包含する。本開示を通じて、“ユーザ機器”との用語は、ときに多様な実施形態を例示するために使用されている。しかしながら、ここで説明した概念は他のワイヤレスノードへ等しく適用可能であることから、これは限定として解釈されるべきではない。よって、本開示において“ユーザ機器”あるいは“ＵＥ”への言及がなされる都度、それは上で定義したようないかなるワイヤレス端末をも包含するものとして理解されるべきである。
【０１３２】
本開示の複数の側面が、例えばブロック図及び／又はフローチャートなどの図面を参照しながら説明されている。例えばブロック図のブロックなどの図面内の複数のエンティティ、及び図面内のエンティティの組み合わせを、コンピュータプログラム命令により実装することができることが理解される。コンピュータプログラム命令は、コンピュータ読取可能なメモリ内に記憶され、コンピュータ又は他のプログラマブルデータ処理装置へロードされることができる。そうしたコンピュータプログラム命令を、汎用コンピュータ、特殊用途コンピュータ及び／又は他のプログラマブルデータ処理装置のプロセッサへ提供してマシンを生成することができ、それにより、コンピュータ及び／又は他のプログラマブルデータ処理装置のプロセッサを介して稼働する命令は、ブロック図及び／又はフローチャートの１つ若しくは複数のブロックにおいて特定した機能／動作を実装するための手段を生み出すことができる。
【０１３３】
いくつかの実装において、本開示のいくつかの側面によれば、ブロックに記述した機能又はステップは、動作上の説明において記述した順序から外れて行われることができる。例えば、連続して示されている２つのブロックが、関係する機能性／動作に依存して、実際には実質的に並列に実行されてもよく、又は、逆の順序で実行される場合があってもよい。また、ブロックに記述した機能又はステップは、本開示のいくつかの側面によれば、ループとして連続的に実行されてもよい。
【０１３４】
図面及び明細書において、本開示の例示的な側面が開示されてきた。しかしながら、本開示の原理から実質的に逸脱することなく、それら側面に対し多様な変形及び修正をなすことができる。よって、本開示は、制限的というより説明的であって、上で議論した具体的な側面には限定されないものと見なされるべきである。従って、固有の用語が採用されてはいるものの、それらはただ汎用的かつ説明的な意味で使用されており、限定を目的としない。
【０１３５】
ここで提供した例示的な実施形態の説明は、例示の目的のために呈示されている。その説明は、網羅的であること、又は例としての実施形態を開示した正確な形式に限定することを意図しておらず、上の教示を踏まえて修正及び変形が可能であり、提供した実施形態に対する多様な代替策の実践から修正及び変形が獲得され得る。ここで議論した例は、多様な例示的な実施形態の原理及び性質、並びに当業者が多様なやり方で例示的な実施形態を利用することを可能にする実践的な応用を説明する目的で選定され説明されており、それは想起される具体的な用途に適したような多様な修正を伴う。ここで説明した実施形態の特徴は、方法、装置、モジュール、システム及びコンピュータプログラムプロダクトのあらゆる可能な組み合わせで組み合わせられてよい。理解されるべきこととして、ここで呈示した例示的な実施形態は、互いにいかなる組み合わせで実践されてもよい。
【０１３６】
留意すべきこととして、“含む／備える（comprising）”との語は、列挙されたもの以外の他のエレメント又はステップの存在を必ずしも排除せず、エレメントに先行する“a”又は“an”との語は、複数のそうしたエレメントの存在を排除しない。さらに留意すべきこととして、いかなる参照記号も特許請求の範囲のスコープを限定せず、例示的な実施形態はハードウェア及びソフトウェアの双方の手段で少なくとも部分的に実装されてよく、複数の“手段”、“ユニット”又は“デバイス”が同じハードウェアの品目によって表現されてもよい。
【０１３７】
ここで説明した多様な例示的な実施形態は、方法ステップ又はプロセッサの一般的な文脈で説明されており、それは１つの側面ではコンピュータ読取可能な媒体で具現化されるコンピュータプログラムプロダクトにより実装されてよく、コンピュータ読取可能な媒体は、ネットワーク化された環境内のコンピュータにより実行されるプログラムコードなどのコンピュータ実行可能な命令を含む。コンピュータ読取可能な媒体は、限定ではないものの、ＲＯＭ（Read  Only  Memory）、ＲＡＭ（Random  Access  Memory）、ＣＤ（compact  discs）、ＤＶＤ（digital  versatile  discs）などを含む、着脱式の及び非着脱式の記憶デバイスを含んでよい。概して、プログラムモジュールは、具体的なタスクを実行し又は具体的で抽象的なデータタイプを実装する、ルーチン、プログラム、オブジェクト、コンポーネント、データ構造などを含んでよい。コンピュータ実行可能な命令、関連付けられるデータ構造及びプログラムモジュールは、ここで開示した方法のステップを実行するためのプログラムコードの例を表す。そうした実行可能な命令又は関連付けられるデータ構造の具体的なシーケンスは、そうしたステップ又はプロセスにおいて説明した機能を実装するための対応する動作の例を表す。
【０１３８】
図面及び明細書において、例示的な実施形態が開示されてきた。しかしながら、それら実施形態に対し多くの変形及び修正をなすことができる。従って、固有の用語が採用されてはいるものの、それらはただ汎用的かつ説明的な意味で使用されており、限定を目的とはせず、実施形態のスコープは以下の特許請求の範囲によって定義される。
【図１ａ】
0006600003.tif 000004
【図１ｂ】
0006600003.tif 000005
【図２】
0006600003.tif 000006
【図３】
0006600003.tif 000007
【図４】
0006600003.tif 000008
【図５】
0006600003.tif 000009
【図６】
0006600003.tif 000010
【図７】
0006600003.tif 000011